(57)【要約】【課題】本発明は、建物内部への進入が許容された人やペットの在宅状態に応じてセキュリティモードを自動的に切り替えることが出来るセキュリティ自動切替システムを提供することを可能にすることを目的としている。【解決手段】住宅１内部への進入が許容された人やペットが携帯するＩＤキー２から発信された固有のＩＤ信号を受信したＩＤ受信機３の受信信号と、人感センサ４の検知信号と、セキュリティセンサ５の検知信号とに基づいて制御手段６が住宅１の在宅状態に応じて住宅１のセキュリティモードを切り替えるように構成したことを特徴とする。【選択図】      図１
2004206531.tif 000002
【特許請求の範囲】
【請求項１】
建物内部への進入が許容された人またはペットの在宅状態に応じてセキュリティモードを自動的に切り替えるシステムであって、
前記建物内部への進入が許容された人またはペットが携帯し、固有のＩＤ信号を発信し得るＩＤ信号発信手段と、
前記建物内部の所定位置に配置され、前記ＩＤ信号発信手段により発信されたＩＤ信号を受信して、そのＩＤ信号発信手段を携帯した前記建物内部への進入が許容された人またはペットの存在を検知するＩＤ信号受信手段と、
前記建物の各所の出入口や窓等の開口部に設けられたセキュリティ検知手段と、
前記ＩＤ信号受信手段の受信信号と、前記セキュリティ検知手段の検知信号とに基づいてセキュリティーモードを切り替える制御手段と、
を有することを特徴とするセキュリティ自動切替システム。
【請求項２】
前記建物内部の各場所に設けられ、その場所における人またはペットの存在を検知する存在検知手段を有し、前記制御手段は、前記存在検知手段の検知信号と、前記ＩＤ信号受信手段の受信信号と、前記セキュリティ検知手段の検知信号とに基づいてセキュリティーモードを切り替えることを特徴とする請求項１に記載のセキュリティ自動切替システム。
【請求項３】
前記制御手段はサーバ装置を有し、前記ＩＤ信号受信手段の受信信号、前記セキュリティ検知手段の検知信号及び前記存在検知手段の検知信号のうちの少なくとも２つ以上の信号に基づいて前記建物内部での在宅情報及び／またはセキュリティ情報を外部端末機に報知するか、或いは外部端末機からモニター出来るように構成したことを特徴とする請求項１または請求項２に記載のセキュリティ自動切替システム。
【請求項４】
前記制御手段は、前記ＩＤ信号受信手段の受信信号、前記セキュリティ検知手段の検知信号及び前記存在検知手段の検知信号のうちの少なくとも２つ以上の信号に基づいて前記建物内部での在宅情報及び／またはセキュリティ情報に基づいて防犯手段を制御することを特徴とする請求項１または請求項２に記載のセキュリティ自動切替システム。
【発明の詳細な説明】
【０００１】
【発明の属する技術分野】
本発明は、住宅やオフィスビル等の各種構造物の建物内部への進入が許容された人またはペットの在宅状態に応じてセキュリティモードを自動的に切り替えるシステムに関するものである。
【０００２】
【従来の技術】
従来、外出先から携帯電話機を用いて留守宅のドアや窓の開閉や電気ガス水道の元栓の開閉を行ったり、モニターカメラによる留守宅内の映像情報を携帯電話機に送信し得るホームセキュリティシステムが提案されている（例えば、特許文献１参照。）。
【０００３】
また、各室に設置した複数のカメラ装置によって入力した画像情報をインターネットを介してユーザＰＣに転送し、その画像に基づいてマイク装置により入力した音声情報を各室のスピーカ装置から音声出力することで侵入者に対して警告を行うように構成したものもある（例えば、特許文献２参照。）。
【０００４】
【特許文献１】
特開２００２−１５７６６５号公報
【特許文献２】
特開２００２−１５８９９３号公報
【０００５】
【発明が解決しようとする課題】
しかしながら、前述の各従来例においても、一般に建物の玄関等の出入口や窓等の開口部に設けられた防犯センサのモードは「設定」と「解除」の２種類しかないため、全員が外出する場合には防犯センサのモードを設定するが、少なくとも誰かが在宅した場合には誤報を避けるために解除するのが一般である。
【０００６】
部屋数が多い建物の１室に誰かが在宅していても他の部屋まで注意が行き届かず、セキュリティ上の不安があり、各部屋の防犯センサを特定の部屋については設定し、その他の部屋については解除することも出来るが、在宅中に各部屋を移動する場合には、その都度、在宅者が防犯センサのモードを設定か解除に切り替えなければならないため煩わしく、結局、誤報を避けるために防犯センサを解除したままにしておく傾向にある。
【０００７】
本発明は前記課題を解決するものであり、その目的とするところは、建物内部への進入が許容された人またはペットの在宅状態に応じてセキュリティモードを自動的に切り替えることが出来るセキュリティ自動切替システムを提供せんとするものである。
【０００８】
【課題を解決するための手段】
前記目的を達成するための本発明に係るセキュリティ自動切替システムは、建物内部への進入が許容された人またはペットの在宅状態に応じてセキュリティモードを自動的に切り替えるシステムであって、前記建物内部への進入が許容された人またはペットが常時または外出時のみ携帯し、固有のＩＤ信号を発信し得るＩＤ信号発信手段と、前記建物内部の所定位置に配置され、前記ＩＤ信号発信手段により発信されたＩＤ信号を受信して、そのＩＤ信号発信手段を携帯した前記建物内部への進入が許容された人またはペットの存在を検知するＩＤ信号受信手段と、前記建物の各所の出入口や窓等の開口部に設けられたセキュリティ検知手段と、前記ＩＤ信号受信手段の受信信号と、前記セキュリティ検知手段の検知信号とに基づいてセキュリティーモードを切り替える制御手段とを有することを特徴とする。
【０００９】
本発明は、上述の如く構成したので、制御手段がＩＤ信号受信手段の受信信号と、セキュリティ検知手段の検知信号とに基づいてセキュリティーモードを切り替えることで、家人等の建物内部への進入が許容された人またはペットの在宅状態に応じてセキュリティモードを自動的に切り替えることが出来、在宅中に各部屋を移動する場合でもその移動に伴って各部屋のセキュリティモードが自動的に切り替わって万全なセキュリティが出来る。
【００１０】
また、前記建物内部の各場所に設けられ、その場所における人またはペットの存在を検知する存在検知手段を有し、前記制御手段は、前記存在検知手段の検知信号と、前記ＩＤ信号受信手段の受信信号と、前記セキュリティ検知手段の検知信号とに基づいてセキュリティーモードを切り替える場合には、存在検知手段により人またはペットの存在をより正確に検知することが出来る。
【００１１】
また、前記制御手段がサーバ装置を有し、前記ＩＤ信号受信手段の受信信号、前記セキュリティ検知手段の検知信号及び前記存在検知手段の検知信号のうちの少なくとも２つ以上の信号に基づいて前記建物内部での在宅情報及び／またはセキュリティ情報を外部端末機に報知するか、或いは外部端末機からモニター出来るように構成した場合には、外出先から外部端末機により建物内部での在宅情報やセキュリティ情報を知得することが出来、必要に応じて外出先から防犯手段を制御したり警察や警備センター等に連絡することも出来る。
【００１２】
また、前記制御手段が、前記ＩＤ信号受信手段の受信信号、前記セキュリティ検知手段の検知信号及び前記存在検知手段の検知信号のうちの少なくとも２つ以上の信号に基づいて前記建物内部での在宅情報及び／またはセキュリティ情報に基づいて防犯手段を制御する場合には、サイレンや防犯ベル等の警報装置やパトライトやフラッシュライト等の投光装置、更には自動通報装置、或いは、窓や玄関ドアの電子錠、部屋の照明やテレビ、ラジオ等の家電製品等を防犯手段として自動的に作動させて防犯対策を施すことが出来る。
【００１３】
【発明の実施の形態】
図により本発明に係るセキュリティ自動切替システムの一例として、住宅のセキュリティシステムに適用した場合の一実施形態を具体的に説明する。図１は本発明に係るセキュリティ自動切替システムを装備した住宅の間取りを示す図、図２（ａ），（ｂ）はセキュリティ検知手段の構成を示す図、図２（ｃ）は存在検知手段の構成を示す図、図２（ｄ）はＩＤ信号発信手段の構成を示す図、図２（ｅ）はＩＤ信号受信手段の構成を示す図である。
【００１４】
また、図３は建物内部への進入が許容された人またはペットが携帯する各ＩＤ信号発信手段の構成を示す図、図４は建物の各所の出入口や窓等の開口部に設けられた各セキュリティ検知手段の構成を示す図、図５は建物内部の各場所（部屋）に設けられた各存在検知手段の構成を示す図である。
【００１５】
また、図６はＩＤ信号受信手段の受信信号と、存在検知手段の検知信号と、セキュリティ検知手段の検知信号とに基づいて建物内部での在宅情報及びセキュリティ情報を判断すると共にセキュリティーモードの切り替えを示す図、図７はサーバ装置により建物内部での在宅情報及びセキュリティ情報を外部端末機に報知したり、外部端末機からモニターする様子を示す図、図８は外部端末機からモニターする様子を示すパソコンの表示画面の一例を示す図、図９は建物内部での在宅情報及びセキュリティ情報を外部端末機に報知する様子を示す携帯電話機の表示画面の一例を示す図である。
【００１６】
図１は本発明に係るセキュリティ自動切替システムを装備した住宅の間取り図であり、図１（ａ）は１階の間取り図、図１（ｂ）は２階の間取り図である。図１において、１は建物内部への進入が許容された家人や客人或いはペット等の在宅状態に応じてセキュリティモードを自動的に切り替えるシステムを装備した建築構造物の一例としての住宅であり、建物内部への進入が許容された人またはペットが、図２（ｄ）に示すように、固有のＩＤ（Identification）信号を発信し得るＩＤ信号発信手段となるＩＤキー（Identification Key）２を携帯して外出或いは在宅する。
【００１７】
ＩＤキー２は、図３に示すように、「Ａ−０１」〜「Ａ−１３」の固有の個人ＩＤコードが関連付けられており、各ＩＤキー２のケース表面が夫々異なる各色で色分けされて外観から容易に判別出来るように構成され、ＩＤキー２の色別に特定の携帯者が決められている。そして、所定のＩＤキー２を家人や特定の許可された客人等が携帯して所持しており、外出中のみＩＤキー２を携帯すれば、在宅か外出かの判別を行い、在宅中にＩＤキー２を肌身離さず携帯すれば携帯者が住宅１内を移動するのに伴ってＩＤキー２も移動する。
【００１８】
尚、ＩＤキー２の他の例としては、携帯電話機（ＰＨＳ；Personal Handyphone Systemを含む）の筐体内に組み込まれるような、例えば、ブルートゥース（Blue Tooth）等の無線機でも良いし、携帯電話機に接続できるような無線機でも良い。
【００１９】
ブルートゥース等の無線機を携帯電話機の筐体内に組み込んでＩＤキー２を構成した場合には、今や携帯電話機（ＰＨＳを含む）は各個人が所持するように広く普及していることから、家人や特定の許可された客人等が比較的肌身離さず携帯して所持する物品とすることが出来、別途ＩＤキー２を携帯するという煩わしさから開放されるという点で有利である。また、携帯電話機のテンキー等を利用して電子錠の開閉を行ったり暗証番号の送信が可能である。
【００２０】
図１（ａ）及び図２（ｅ）に示すＩＤ信号受信手段となるＩＤ受信機３は、住宅１内部の所定位置に配置され、ＩＤキー２により発信されたＩＤ信号を受信して、そのＩＤキー２を携帯した住宅１内部への進入が許容された人またはペットの存在を検知する。
【００２１】
本実施形態では、図１（ａ）に示すように、ＩＤ受信機３は住宅１内の１階の１箇所に設けられており、例えば、電波受信が可能な配電盤内や収納内等の目立たない位置に設置される。尚、電波の受信状態によっては中継器を住宅１内に配置することでも良い。
【００２２】
図１及び図２（ｃ）に示す存在検知手段となる人感センサ４は、住宅１内部の間取りに応じて各場所（部屋）に設けられ、その場所における人またはペットの存在を検知する。人感センサ４は赤外線センサや床圧式センサ等が適用出来る。また、他の存在検知手段としては、ＩＤキー２とＩＤ受信機３との間を中継する無線中継器の受信電波の感度に基づいて、その場所における人またはペットの存在を検知することが出来る。即ち、人感センサ４が赤外線センサや床圧式センサの場合には、ＩＤキー２を外出時のみ携帯すれば良く、無線中継器の場合にはＩＤキー２を常時携帯する必要が有る。図４に示すように、人感センサ４には「Ｂ−０１」〜「Ｂ−１０」の固有の人感センサＩＤコードが関連付けられている。
【００２３】
図１及び図２（ａ），（ｂ）に示すセキュリティ検知手段となるセキュリティセンサ５は、建物の各所の出入口や窓等の開口部に設けられ、外部から住宅内部への侵入や住宅内での各部屋への侵入を検知し得るものである。
【００２４】
セキュリティセンサ５は、図２（ａ）に示すようなマグネットセンサ等を適用して窓サッシの開閉や扉の開閉を検知することが出来、更には図２（ｂ）に示すようなセキュリティセンサ５では、扉の施錠部に設けられるサムターンに固定されたギア５ｂにモータ５ｃの出力ギアが噛合しており、制御部５ｄにより制御されるモータドライバ５ｅによりモータ５ｃが回転駆動されてギア５ｂを介してサムターンが回転する。逆に、サムターンの回動をモータ５ｃ、モータドライバ５ｅを介して制御部５ｄが検知し、サムターンの回転状態から扉の施錠／解錠を検知することが出来る。
【００２５】
また、各セキュリティセンサ５には、図５に示すように、「Ｃ−０１」〜「Ｃ−３３」の固有のセキュリティセンサＩＤコードが関連付けられている。
【００２６】
図２に示すように、ＩＤキー２及びＩＤ受信機３は無線モジュール（例えば、RF Solutions社製のFM-RRF1、FM-RFT3)と、マイクロコンピュータ（例えば、マイクロチップ社製のPIC16F877、PIC12F629）と、通信用アンテナとを有する小型無線機により構成することが出来、人感センサ４は赤外線センサや床圧式センサと前記小型無線機とにより構成することが出来、セキュリティセンサ５はマグネットセンサや、サムターンに連結されたモータ５ｃ、モータドライバ５ｅ及び制御部５ｄと前記小型無線機とにより構成することが出来る。
【００２７】
図２（ｅ）及び図７に示す制御手段となるホストコンピュータ６は、ＩＤキー２から発信された携帯者固有のＩＤ信号を受信したＩＤ受信機３の受信信号と、各人感センサ４の検知信号と、各セキュリティセンサ５の検知信号と、位置情報となる各ＩＤコードに基づいて住宅１内部での在宅状況及びセキュリティ状況を判断し、それ等の在宅情報やセキュリティ情報に基づいて、セキュリティ全部をＯＮとする最大セキュリティモードと、セキュリティの一部を解除し、残りをＯＮとする部分セキュリティモードとの２つのセキュリティーモードを自動的に切り替えて居空き対策が出来、必要に応じて防犯手段を制御する。尚、必要に応じてセキュリティの全部を解除することも出来る。
【００２８】
ホストコンピュータ６はＣＰＵ（中央演算処理装置）やメモリ等を装備したコンピュータシステムにより構成されており、住宅１内部での在宅情報やセキュリティ情報をパーソナルコンピュータ（以下、単に「パソコン」という）やモバイルパソコン、携帯電話機、ＰＨＳ（Personal Handyphone System）、ＰＤＡ（Personal Digital Assistance；携帯情報端末機）等の外部端末機に報知したり、或いはこれ等の外部端末機からモニターするためのサーバ装置６ａを装備している。
【００２９】
次に図２を用いて、ＩＤキー２、ＩＤ受信機３、人感センサ４、セキュリティセンサ５の動作について説明する。図２（ｅ）において、先ず、ＩＤ受信機３の無線親機３ａの電源を入れる。このとき、無線親機３ａは各無線子機２ａ，４ａ，５ａを全く認識していない状態である。
【００３０】
次にホストコンピュータ６の電源を入れると、該ホストコンピュータ６と無線親機３ａとの有線通信が開始される。
【００３１】
次に各無線子機２ａ，４ａ，５ａの電源を入れると、各無線子機２ａ，４ａ，５ａは無線親機３ａをポーリング（監視対象となる各無線子機２ａ，４ａ，５ａから管理ステーションとなる無線親機３ａへアクセスすること）する。
【００３２】
各無線子機２ａ，４ａ，５ａが無線親機３ａを認識すると、該無線子機２ａ，４ａ，５ａから、図３〜図５に示す各ＩＤキー２、人感センサ４及びセキュリティセンサ５の各ＩＤや状態の送信を行う。
【００３３】
無線親機３ａは、認識した各無線子機２ａ，４ａ，５ａに対して６０秒に１回の時間間隔でポーリング（管理ステーションとなる無線親機３ａから監視対象となる各無線子機２ａ，４ａ，５ａへアクセスすること）を行う。
【００３４】
ＩＤキー２、人感センサ４、セキュリティセンサ５でセンサ反応があった場合には、各無線子機２ａ，４ａ，５ａは無線親機３ａのポーリング終了を待って状態を送信する。
【００３５】
ＩＤキー２の無線子機２ａは、５秒に１回の時間間隔で無線親機３ａのポーリングを待って状態を送信する。ＩＤキー２、人感センサ４、セキュリティセンサ５の状態を受信した無線親機３ａは、夫々の無線子機２ａ，４ａ，５ａに対してＡＣＫ（Acknowledgement；確認応答）を返す。
【００３６】
ＩＤキー２は無線親機３ａからのＡＣＫの返信が無い場合、該ＩＤキー２が宅外に持ち出されたと判断して、状態送信を１５秒に１回の時間間隔で行い、再度、無線親機３ａからのＡＣＫの返信が有った場合、状態送信を５秒に１回の時間間隔に変更する。
【００３７】
無線親機３ａはポーリング、状態送信の２つが無くなったときにＩＤキー２を携帯した住宅１内部への進入が許容された人またはペットが外出したと判断し、セキュリティーモードを変更する。このとき、ＩＤキー２を無線子機２ａからのポーリングを待たずに認識するためにＩＤキー２の情報は記憶しておく。
【００３８】
そして、各人感センサ４及びセキュリティセンサ５のセンサ情報と、ＩＤキー２の情報の組み合わせに基づいて、セキュリティ全部をＯＮとする最大セキュリティモードと、セキュリティの一部を解除し、残りをＯＮとする部分セキュリティモードとの２つのセキュリティーモードを自動的に切り替える。これにより居空き対策が出来る。尚、必要に応じてセキュリティの全部を解除することも出来る。
【００３９】
図６はＩＤキー２から発信された携帯者固有のＩＤ信号を受信したＩＤ受信機３の受信信号と、各人感センサ４の検知信号と、各セキュリティセンサ５の検知信号とに基づいてホストコンピュータ６が判断する住宅１内部での在宅状況及びセキュリティ状況の一例を示しており、これ等の在宅情報及びセキュリティ情報に基づいて、ホストコンピュータ６が住宅１内部のセキュリティモードを切り替えたり、図７に示すサーバ装置６ａを介して住宅情報やセキュリティ情報を外部端末機に報知したり或いは外部端末機からモニター出来るように適宜、在宅情報及びセキュリティ情報を提供したり、更には防犯手段となるサイレンや防犯ベル等の警報装置やパトライトやフラッシュライト等の投光装置、更には自動通報装置、或いは、窓や玄関ドアの電子錠、部屋の照明やテレビ、ラジオ等の家電製品等を防犯手段として自動的に作動させて防犯対策を施すことが出来るようになっている。
【００４０】
セキュリティモードの切り替えの一例として、例えば、ＩＤキー２から発信される固有のＩＤ信号をＩＤ受信機３が受信してホストコンピュータ６が許容された人またはペットの在宅を認識している場合には、人感センサ４により人やペットを検知出来ない部屋のセキュリティセンサ５はＯＮとし、人感センサ４により人やペットを検知している部屋のセキュリティセンサ５はＯＦＦとする。
【００４１】
また、ＩＤキー２から発信される固有のＩＤ信号をＩＤ受信機３が受信してホストコンピュータ６が許容された人またはペットの在宅を認識している際にセキュリティセンサ５が反応した場合には、防犯手段となるサイレンは鳴らさず、フラッシュライトによる威嚇や、携帯電話機等の外部端末機にメロディーアラームを鳴らしたり、定型文の電子メールを自動送信する等により通知することが出来る。
【００４２】
また、ＩＤキー２から発信される固有のＩＤ信号をＩＤ受信機３が受信してホストコンピュータ６が許容された人またはペットの在宅を認識しており、且つホストコンピュータ６に設けられたカレンダ機能や時計機能により、その時間が夜間である場合にセキュリティセンサ５が反応した場合には、サイレンは鳴らさずフラッシュライトによる威嚇や、携帯電話機等の外部端末機にメロディーアラームを鳴らしたり、定型文の電子メールを自動送信する等により通知することが出来る。
【００４３】
また、ＩＤキー２から発信される固有のＩＤ信号をＩＤ受信機３が受信せずホストコンピュータ６が許容された人またはペットの不在を認識している場合には外出モードとして全てのセキュリティセンサ５の反応を通知する。そして、セキュリティセンサ５が反応した場合には、防犯手段となるサイレンを鳴らし、フラッシュライトによる威嚇を行うセキュリティーモードとする。
【００４４】
また、ＩＤキー２から発信される固有のＩＤ信号をＩＤ受信機３が受信出来なくなった時点でセキュリティセンサ５である窓センサが「開」を感知していた場合には、ホストコンピュータ６によりサイレンを鳴らしたり、サーバ装置６ａから住宅１内部への進入が許容された家人の携帯電話機等にメールを送信したり、システム会社７に通知して該システム会社７のコールセンターから電話を掛ける等の対応を行う。
【００４５】
人感センサ４及びセキュリティセンサ５の各センサＩＤコードは、図４及び図５に示すように、住宅１内の夫々の場所に対応しているため、図６に示すように、人感センサ４に人またはペットの反応の無い部屋のセキュリティセンサ５が反応すると、ホストコンピュータ６がその場所を特定して外部からの侵入であると判断することが出来る。
【００４６】
上記構成により、建物内部への進入が許容された人またはペットの在宅状態に応じてセキュリティモードを自動的に切り替えることが出来るため、図１に示すように、部屋数が多い建物の１室に許可された誰かが在宅しており、他の部屋まで注意が行き届かなくとも在宅中に各部屋を移動するに伴ってセキュリティセンサ５のセキュリティモードを自動的に設定／解除に切り替えることが出来る。
【００４７】
図８（ａ），（ｂ）は、外部端末機の一例として、遠隔地のパソコンから住宅１内部の在宅情報をモニターする様子を示したものである。図８（ａ）に示す表示画面は、住宅１の家人である次女が所有するパソコンの表示画面を示し、現在の住宅１内のＩＤ受信機３が受信したＩＤ信号に応じたＩＤキー２を携帯する母親と長女の存在を認識して表示画面に「お母さん」と「お姉ちゃん」が在宅中であることを表示している。
【００４８】
次女は予め設定されたユーザ名とパスワードをパソコンを利用して入力して、サーバ装置６ａがインターネット上に提供するウエブサイト（ホームページ）にアクセスすることが出来、ユーザ名とパスワードからアクセスした家人と、在宅する母親と長女との家族関係を判断して、パソコンの表示画面に、予め用意された定型文が選択されて「お母さん」と「お姉ちゃん」が在宅中であることが表示される。
【００４９】
図８（ｂ）に示す表示画面は、住宅１の居間兼食堂（リビング）のセキュリティセンサ５である窓センサが反応し、更に該居間兼食堂（リビング）の人感センサ４に人感反応が無いことを検知して侵入者の可能性を示唆した表示の一例である。
【００５０】
図９（ａ），（ｂ）は、外部端末機の一例として、住宅１内部のセキュリティ情報を遠隔地の携帯電話機に送信する様子を示したものである。図９（ａ）はホストコンピュータ６のサーバ装置６ａからインターネットを介してセキュリティ情報が携帯電話機に送信された一例を示し、住宅１の居間兼食堂（リビング）のセキュリティセンサ５である窓センサが反応したことを報知する。
【００５１】
図９（ａ）で表示画面に表示されたＵＲＬをクリックすると、図７に示すホストコンピュータ６のサーバ装置６ａ、或いはシステム会社７のサーバ装置７ａがインターネット上に提供するウエブサイト（ホームページ）に接続され、住宅１のホストコンピュータ６からサーバ装置６ａを介してシステム会社７のデータベース（ＤＢ）７ｂに時々刻々と蓄積される住宅１内部のセキュリティ情報が図９（ｂ）に示す携帯電話機の表示画面に表示される。
【００５２】
携帯電話機の所有者は、その表示画面を利用して警察に通報したり、住宅１に設置した防犯カメラ等の各種防犯手段の操作を行うことが出来る。
【００５３】
【発明の効果】
本発明は、上述の如き構成と作用とを有するので、建物内部への進入が許容された人またはペットの在宅状態に応じてセキュリティモードを自動的に切り替えることが出来るセキュリティ自動切替システムを提供することが出来る。
【００５４】
即ち、制御手段がＩＤ信号受信手段の受信信号と、セキュリティ検知手段の検知信号とに基づいてセキュリティーモードを切り替えることで、家人等の建物内部への進入が許容された人またはペットの在宅状態に応じてセキュリティモードを自動的に切り替えることが出来、在宅中に各部屋を移動する場合でもその移動に伴って各部屋のセキュリティモードが自動的に切り替わって万全なセキュリティが出来る。
【００５５】
また、建物内部の各場所に設けられ、その場所における人またはペットの存在を検知する存在検知手段を有し、制御手段が存在検知手段の検知信号と、ＩＤ信号受信手段の受信信号と、セキュリティ検知手段の検知信号とに基づいてセキュリティーモードを切り替える場合には、存在検知手段により人またはペットの存在をより正確に検知することが出来る。
【００５６】
また、制御手段がサーバ装置を有し、ＩＤ信号受信手段の受信信号、セキュリティ検知手段の検知信号及び存在検知手段の検知信号のうちの少なくとも２つ以上の信号に基づいて建物内部での在宅情報及び／またはセキュリティ情報を外部端末機に報知するか、或いは外部端末機からモニター出来るように構成した場合には、外出先から外部端末機により建物内部での在宅情報やセキュリティ情報を知得することが出来、必要に応じて外出先から防犯手段を制御したり警察や警備センター等に連絡することも出来る。
【００５７】
また、制御手段が、ＩＤ信号受信手段の受信信号、セキュリティ検知手段の検知信号及び存在検知手段の検知信号のうちの少なくとも２つ以上の信号に基づいて建物内部での在宅情報及び／またはセキュリティ情報に基づいて防犯手段を制御する場合には、サイレンや防犯ベル等の警報装置やパトライトやフラッシュライト等の投光装置、更には自動通報装置、或いは、窓や玄関ドアの電子錠、部屋の照明やテレビ、ラジオ等の家電製品等を防犯手段として自動的に作動させて防犯対策を施すことが出来る。
【図面の簡単な説明】
【図１】本発明に係るセキュリティ自動切替システムを装備した住宅の間取りを示す図である。
【図２】（ａ），（ｂ）はセキュリティ検知手段の構成を示す図、（ｃ）は存在検知手段の構成を示す図、（ｄ）はＩＤ信号発信手段の構成を示す図、（ｅ）はＩＤ信号受信手段の構成を示す図である。
【図３】建物内部への進入が許容された人またはペットが携帯する各ＩＤ信号発信手段の構成を示す図である。
【図４】建物の出入口や窓等の開口部に設けられた各セキュリティ検知手段の構成を示す図である。
【図５】建物内部の各場所（部屋）に設けられた各存在検知手段の構成を示す図である。
【図６】ＩＤ信号受信手段の受信信号と、存在検知手段の検知信号と、セキュリティ検知手段の検知信号とに基づいて建物内部での在宅情報及びセキュリティ情報を判断すると共にセキュリティーモードの切り替えを示す図である。
【図７】サーバ装置により建物内部での在宅情報及びセキュリティ情報を外部端末機に報知したり、外部端末機からモニターする様子を示す図である。
【図８】外部端末機からモニターする様子を示すパソコンの表示画面の一例を示す図である。
【図９】建物内部での在宅情報及びセキュリティ情報を外部端末機に報知する様子を示す携帯電話機の表示画面の一例を示す図である。
【符号の説明】
１…住宅
２…ＩＤキー
２ａ…無線子機
３…ＩＤ受信機
３ａ…無線親機
４…人感センサ
４ａ…無線子機
５…セキュリティセンサ
５ａ…無線子機
５ｂ…ギア
５ｃ…モータ
５ｄ…制御部
５ｅ…モータドライバ
６…ホストコンピュータ
６ａ…サーバ装置
７…システム会社
７ａ…サーバ装置
７ｂ…データベース
【図１】
2004206531.tif 000003
【図２】
2004206531.tif 000004
【図３】
2004206531.tif 000005
【図４】
2004206531.tif 000006
【図５】
2004206531.tif 000007
【図６】
2004206531.tif 000008
【図７】
2004206531.tif 000009
【図８】
2004206531.tif 000010
【図９】
2004206531.tif 000011